(57)【特許請求の範囲】
【請求項１】
複合カラー映像信号を受けて、この複合カラー映像信号を所定のサンプリング周波数でサンプリングして複数ビットのデジタル映像信号に変換するＡ／Ｄ変換器と、
前記Ａ／Ｄ変換器からの前記デジタル映像信号から搬送色信号の周波数成分を抽出して出力するバンドパスフィルタと、
前記バンドパスフィルタの出力信号を受けて、このバンドパスフィルタの出力信号を１水平期間遅延するものであって、前記所定のサンプリング周波数に同期して駆動されるシフトレジスタを備えた第１の遅延回路と、
前記バンドパスフィルタの出力信号と前記第１の遅延回路の出力信号との減算出力を得る第１の減算回路と、
前記バンドパスフィルタの出力信号と前記第１の遅延回路の出力信号との加算出力を得る加算回路と、
前記バンドパスフィルタの出力信号と前記第１の減算回路の出力信号とを切り換えて出力する切換回路と、
前記第１の減算回路の出力信号と、前記加算回路の出力信号とを受け、両出力信号の関係に基づいて、前記バンドパスフィルタの出力信号と前記第１の遅延回路の出力信号との相関の有無を示す２値信号を出力する相関検出回路であって、前記第１の減算回路の出力レベルが前記加算回路の出力レベルに対して所定の整数倍以上に大きければ、前記相関があることを示す前記２値信号の一方の値を出力し、前記第１の減算回路の出力レベルが前記加算回路の出力レベルに対して所定の整数倍未満であれば、前記相関がないことを示す前記２値信号の他方の値を出力する相関検出回路と、
前記相関検出からの前記２値信号を１水平期間遅延するものであって、前記所定のサンプリング周波数に同期して駆動されるシフトレジスタを備えた第２の遅延回路と、
前記相関検出回路からの前記２値信号と、前記第２の遅延回路からの１水平期間遅延された２値信号とを受け、両信号の演算結果から前記切換回路を切り換え制御する選択信号を出力する演算回路であって、前記相関検出回路からの前記２値信号が前記他方の値であり、前記第２の遅延回路からの出力が前記２値信号の一方の値であるときには前記バンドパスフィルタの出力を前記切換回路が選択し、その他のときには前記第１の減算回路の出力を前記切換回路が選択するよう制御する演算回路と、
前記切換回路の後段に設けられたＤ／Ａ変換器と
を備え、前記Ｄ／Ａ変換器から搬送色信号を得るようにしたことを特徴とするクシ形フィルタ。
【請求項２】
前記Ａ／Ｄ変換器からの前記デジタル映像信号が供給され、前記デジタル映像信号を遅延させる第３の遅延回路と、
前記第３の遅延回路の出力信号から、前記切換回路の出力信号を減算する第２の減算回路と
を設け、前記第２の減算回路から輝度信号を得る
ことを特徴とする請求項１に記載のクシ形フィルタ。
【請求項３】
輝度信号と搬送色信号とを含む複合カラー映像信号を受けて、前記輝度信号と前記搬送色信号とを分離して出力するクシ形フィルタと、
このクシ形フィルタからの前記輝度信号と前記搬送色信号を処理する信号処理回路と
を備える映像機器であって、
前記クシ形フィルタは、
前記複合カラー映像信号を受けて、この複合カラー映像信号を所定のサンプリング周波数でサンプリングして複数ビットのデジタル映像信号に変換するＡ／Ｄ変換器と、
前記Ａ／Ｄ変換器からの前記デジタル映像信号から搬送色信号の周波数成分を抽出して出力するバンドパスフィルタと、
前記バンドパスフィルタの出力信号を受けて、このバンドパスフィルタの出力信号を１水平期間遅延するものであって、前記所定のサンプリング周波数に同期して駆動されるシフトレジスタを備えた第１の遅延回路と、
前記バンドパスフィルタの出力信号と前記第１の遅延回路の出力信号との減算出力を得る第１の減算回路と、
前記バンドパスフィルタの出力信号と前記第１の遅延回路の出力信号との加算出力を得る加算回路と、
前記バンドパスフィルタの出力信号と前記第１の減算回路の出力信号とを切り換えて出力する切換回路と、
前記第１の減算回路の出力信号と、前記加算回路の出力信号とを受け、両出力信号の関係に基づいて、前記バンドパスフィルタの出力信号と前記第１の遅延回路の出力信号との相関の有無を示す２値信号を出力する相関検出回路であって、前記第１の減算回路の出力レベルが前記加算回路の出力レベルに対して所定の整数倍以上に大きければ、前記相関があることを示す前記２値信号の一方の値を出力し、前記第１の減算回路の出力レベルが前記加算回路の出力レベルに対して所定の整数倍未満であれば、前記相関がないことを示す前記２値信号の他方の値を出力する相関検出回路と、
前記相関検出からの前記２値信号を１水平期間遅延するものであって、前記所定のサンプリング周波数に同期して駆動されるシフトレジスタを備えた第２の遅延回路と、
前記相関検出回路からの前記２値信号と、前記第２の遅延回路からの１水平期間遅延された２値信号とを受け、両信号の演算結果から前記切換回路を切り換え制御する選択信号を出力する演算回路であって、前記相関検出回路からの前記２値信号が前記他方の値であり、前記第２の遅延回路からの出力が前記２値信号の一方の値であるときには前記バンドパスフィルタの出力を前記切換回路が選択し、その他のときには前記第１の減算回路の出力を前記切換回路が選択するよう制御する演算回路と、
前記Ａ／Ｄ変換器からの前記デジタル映像信号が供給され、前記デジタル映像信号を遅延させる第３の遅延回路と、
前記第３の遅延回路の出力信号から、前記切換回路の出力信号を減算する第２の減算回路と、
前記切換回路の後段に設けられた第１のＤ／Ａ変換器と、
前記第２の減算回路の後段に設けられた第２のＤ／Ａ変換器と、
を備え、前記第１のＤ／Ａ変換器から搬送色信号を得ると共に、前記第２のＤ／Ａ変換器から輝度信号を得る
ことを特徴とする映像機器。
【発明の詳細な説明】
【０００１】
【発明の属する技術分野】
この発明は、複合カラー映像信号から輝度信号と搬送色信号とを分離して出力するクシ形フィルタ、および、このクシ形フィルタを搭載する例えばカラーテレビジョン受像機やＶＴＲなどの映像機器に関する。
【０００２】
【従来の技術】
例えば、テレビジョン受像機では、受信した複合カラー映像信号による出力画像を得るために、輝度信号と搬送色信号とを分離する必要がある。また、ＶＴＲでは、入力複合カラー映像信号を輝度信号と搬送色信号とに分離し、輝度信号はＦＭ変調し、搬送色信号は、ＦＭ輝度信号の低域側に周波数変換して記録するようにする。
【０００３】
上述のように複合カラー映像信号から輝度信号と搬送色信号とを分離する方法として、カラー映像信号の画面の垂直方向の相関性と、色副搬送波の位相が１水平期間ごとに反転していることを利用したクシ形フィルタが、最近はよく使用される。これは、バンドパスフィルタなどの帯域フィルタを用いて輝度信号と搬送色信号を分離すると、搬送色信号の帯域内に含まれる輝度信号の高域成分が搬送色信号に混入し、クロスカラーと呼ばれる画像の劣化が発生するのに対し、クシ形フィルタを用いた場合には、このクロスカラーの発生を避けることができる利点があるためである。
【０００４】
図８は、このクシ形フィルタの基本的な回路構成を示すものである。
【０００５】
すなわち、入力端子１１から入力される輝度信号Ｙと搬送色信号Ｃとを含む複合カラー映像信号Ｓａは、１水平期間の遅延回路１２に供給されて、１水平期間遅延された後、第１の減算回路１３に供給される。入力端子１１からの複合カラー映像信号Ｓａは、また、直接に第１の減算回路１３に供給される。
【０００６】
この減算回路１３で減算演算が行われると、映像信号の垂直相関性から、輝度信号成分は隣合う水平区間の信号がほとんど同じであることから、当該輝度信号成分は打ち消される。一方、色副搬送波の位相は、１水平期間ごとに反転しているため、隣り合う水平区間の色副搬送波成分は減算回路１３では同相となり、このため、減算回路１３からは搬送色信号成分のみが得られる。そして、この減算回路１３からの搬送色信号成分は、例えば３．５８ＭＨｚ±５００ｋＨｚ（ＮＴＳＣ信号の場合）を通過帯域とするバンドパスフィルタ１４に供給され、このバンドパスフィルタ１４から搬送色信号Ｃが取り出され、出力端子１７Ｃに導出される。
【０００７】
一方、入力端子１１を通じて入力された複合カラー映像信号Ｓａは、遅延回路１５を通じて第２の減算回路１６に供給される。遅延回路１５は、バンドパスフィルタ１４から出力される搬送色信号Ｃとのタイミング合わせのためのもので、第１の遅延回路１２による１水平期間の遅延と、減算回路１３およびバンドパスフィルタ１４での遅延との和の遅延を行う。
【０００８】
そして、第２の減算回路１６には、バンドパスフィルタ１４から得られる搬送色信号Ｃが供給されて、複合カラー映像信号から減算される。したがって、第２の減算回路１６からは輝度信号Ｙが得られ、それが出力端子１７Ｙに導出される。
以上のようにして、クシ形フィルタによれば、複合カラー映像信号から、クロスカラーの発生を回避して、輝度信号Ｙと搬送色信号Ｃとを分離することができる。
【０００９】
しかしながら、例えば一様に平坦な画面内容である水平走査線から、搬送色信号の位相が反転したような信号内容の水平走査線に変わるような複合カラー映像信号が、上記のクシ形フィルタに入力されると、搬送色信号の位相が反転した走査線において、搬送色信号の垂直相関性がないため、複合カラー映像信号より搬送色信号を完全に分離して取り出すことはできない。このため、この走査線における出力端子１７Ｙの輝度信号Ｙには、搬送色信号成分が残留し、いわゆるドット妨害が発生する。
【００１０】
また、出力端子１７Ｃに導出される搬送色信号Ｃでは、当該走査線での信号レベルが低下して、搬送色信号の垂直解像度が劣化してしまう問題もあった。
【００１１】
この問題に対して、本出願人は、隣り合う３ライン間の垂直相関性を監視し、垂直相関性のあるライン間では、クシ形フィルタで分離した輝度信号および搬送色信号出力を用い、垂直相関性のないラインのときには、バンドパスフィルタで分離した輝度信号および搬送色信号出力を用いるようにした、いわば適応型のクシ形フィルタを提案している（例えば特開平３−７０３８３号公報等参照）。
【００１２】
これによれば、搬送色信号について垂直相関性がない走査線においては、バンドパスフィルタにより分離した輝度信号および搬送色信号を出力信号とすることにより、ドット妨害の発生を回避できる。
【００１３】
【発明が解決しようとする課題】
ところで、上述の適応型クシ形フィルタの場合、３水平走査線の間の映像信号の垂直相関性の監視を行う必要があるため、前記公報等に示されているように、複合カラー映像信号について１水平期間の遅延を行う遅延回路を２個用いて、現入力信号に対して１水平期間遅延した信号と、２水平期間遅延した信号とを生成し、現入力信号と１水平期間遅延した信号との間の垂直相関性、および、１水平期間遅延した信号と、２水平期間遅延した信号との間の垂直相関性をそれぞれ監視するようにしている。
【００１４】
このように従来の適応型クシ形フィルタの構成においては、複合カラー映像信号を遅延する２個の１水平期間の遅延回路を必要とするために、比較的、回路規模が大きくなってしまうという問題があった。また、現入力信号と１水平期間遅延した信号との間の垂直相関性を監視する回路と、１水平期間遅延した信号と、２水平期間遅延した信号との間の垂直相関性を監視する回路とを、それぞれ別個に備える構成であるので、回路構成が複雑であった。
【００１５】
この発明は、以上の点にかんがみ、従来に比べて回路規模が小さく、構成も簡単にすることができる適応型クシ形フィルタを提供することを目的とする。
【００１６】
【課題を解決するための手段】
上記課題を解決するため、この発明によるクシ形フィルタは、
複合カラー映像信号を受けて、この複合カラー映像信号を所定のサンプリング周波数でサンプリングして複数ビットのデジタル映像信号に変換するＡ／Ｄ変換器と、
前記Ａ／Ｄ変換器からの前記デジタル映像信号から搬送色信号の周波数成分を抽出して出力するバンドパスフィルタと、
前記バンドパスフィルタの出力信号を受けて、このバンドパスフィルタの出力信号を１水平期間遅延するものであって、前記所定のサンプリング周波数に同期して駆動されるシフトレジスタを備えた第１の遅延回路と、
前記バンドパスフィルタの出力信号と前記第１の遅延回路の出力信号との減算出力を得る第１の減算回路と、
前記バンドパスフィルタの出力信号と前記第１の遅延回路の出力信号との加算出力を得る加算回路と、
前記バンドパスフィルタの出力信号と前記第１の減算回路の出力信号とを切り換えて出力する切換回路と、
前記第１の減算回路の出力信号と、前記加算回路の出力信号とを受け、両出力信号の関係に基づいて、前記バンドパスフィルタの出力信号と前記第１の遅延回路の出力信号との相関の有無を示す２値信号を出力する相関検出回路であって、前記第１の減算回路の出力レベルが前記加算回路の出力レベルに対して所定の整数倍以上に大きければ、前記相関があることを示す前記２値信号の一方の値を出力し、前記第１の減算回路の出力レベルが前記加算回路の出力レベルに対して所定の整数倍未満であれば、前記相関がないことを示す前記２値信号の他方の値を出力する相関検出回路と、
前記相関検出からの前記２値信号を１水平期間遅延するものであって、前記所定のサンプリング周波数に同期して駆動されるシフトレジスタを備えた第２の遅延回路と、
前記相関検出回路からの前記２値信号と、前記第２の遅延回路からの１水平期間遅延された２値信号とを受け、両信号の演算結果から前記切換回路を切り換え制御する選択信号を出力する演算回路であって、前記相関検出回路からの前記２値信号が前記他方の値であり、前記第２の遅延回路からの出力が前記２値信号の一方の値であるときには前記バンドパスフィルタの出力を前記切換回路が選択し、その他のときには前記第１の減算回路の出力を前記切換回路が選択するよう制御する演算回路と、
前記切換回路の後段に設けられたＤ／Ａ変換器と
を備え、前記Ｄ／Ａ変換器から搬送色信号を得るようにしたことを特徴とする。
【００１７】
上記の構成のこの発明によるクシ形フィルタにおいては、複合カラー映像信号からバンドパスフィルタにより搬送色信号の周波数帯域成分が抽出され、このバンドパスフィルタの出力信号が第１の遅延回路に供給されて、１水平期間遅延される。そして、この第１の遅延回路の入出力端の信号が第１の減算回路で減算されて、この第１の減算回路より搬送色信号が取り出される。
【００１８】
そして、この第１の減算回路の出力信号が相関検出回路に供給されると共に、第１の遅延回路の入出力端の信号が加算回路に供給され、この加算回路の出力信号が相関検出回路に供給される。
【００１９】
搬送色信号に垂直相関性があるときには、第１の減算回路の出力信号としては、当該搬送色信号が比較的大きなレベルで得られ、一方、加算回路の出力信号としては、２水平期間の搬送色信号が相殺された小レベルの出力が得られる。
【００２０】
逆に、搬送色信号に垂直相関性がなく、例えば位相が逆相のときには、第１の減算回路の出力信号は小レベルとなり、一方、加算回路の出力信号は大きくなる。
【００２１】
相関検出回路では、上記の第１の減算回路の出力と、加算回路の出力の上述の関係に基づいて２水平走査線間の搬送色信号の垂直相関性の有無が検出され、その検出出力の２値信号が出力される。
【００２２】
この垂直相関性の有無の検出出力としての２値信号は、そのまま演算回路に供給されると共に、第２の遅延回路を通じて演算回路に供給される。演算回路は、この第２の遅延回路の入出力の２値信号から、３水平走査線間の垂直相関性の情報を得る。そして、この３水平走査線間の垂直相関性の有無の関係に基づいて、演算回路は、バンドパスフィルタの出力と、第１の減算回路の出力とを切り換えて出力する切換回路の切換制御を行う。
【００２３】
上述のこの発明の場合には、搬送色信号帯域の信号の遅延用としては第１の遅延回路の１個を設けるだけでよい。そして、相関検出回路の出力を遅延する第２の遅延回路は、２値信号を遅延するだけでよいので簡単な構成のものを使用できる。また、相関検出回路は、第１の遅延回路の入出力の２水平走査線の信号分についての１つで済む。
【００２４】
【発明の実施の形態】
以下、この発明によるクシ形フィルタを、カラーテレビジョン受像機に適用した場合の実施の形態について、図を参照して説明する。
【００２５】
まず、この実施の形態のクシ形フィルタが適用されるカラーテレビジョン受像機の構成の概略を図３に示す。
【００２６】
すなわち、テレビアンテナ２１にて受信されたテレビジョン放送信号は、チューナ２２に供給されて、ユーザの選局操作に応じたチャンネルの放送信号が映像中間周波信号に変換される。このチューナ２２からの映像中間周波信号は、映像中間周波増幅器２３を通じて映像検波器２４に供給されて、複合カラー映像信号が復調される。
【００２７】
この例では、この複合カラー映像信号は、Ａ／Ｄ変換器２５によりデジタル信号に変換された後、後述するこの実施の形態のクシ形フィルタが適用される適応型クシ形フィルタ１００に供給されて、デジタル信号の状態の輝度信号ＤＹと搬送色信号ＤＣとに分離される。このクシ形フィルタ１００のデジタル出力ＤＹおよびＤＣは、それぞれＤ／Ａ変換器２６Ｙおよび２６Ｃに供給されて、アナログ信号の輝度信号Ｙおよび搬送色信号Ｃとに戻される。
【００２８】
そして、輝度信号Ｙは、そのままマトリクス回路２８に供給される。また、搬送色信号Ｃはクロマデコーダ２７に供給されて、色差信号Ｒ−ＹおよびＢ−Ｙがデコードされる。そして、これら色差信号Ｒ−Ｙ，Ｂ−Ｙがマトリクス回路２８に供給される。
【００２９】
マトリクス回路２８は、これに入力される輝度信号Ｙと、色差信号Ｒ−Ｙ，Ｂ−Ｙから３原色信号Ｒ，Ｇ，Ｂを生成し、これらの信号Ｒ，Ｇ，Ｂをカラー陰極線管２９に供給し、その画面に画像を再生するようにする。
【００３０】
次に、この実施の形態のクシ形フィルタについて、図１および図２を参照して説明する。図１は、この実施の形態のクシ形フィルタの回路構成を示すものであり、図２は、このクシ形フィルタの回路動作を説明するためのタイムチャートである。
【００３１】
前述したように、Ａ／Ｄ変換器２５において複合カラー映像信号はデジタル化されるが、この例の場合、複合カラー映像信号は、サンプリング周波数が例えば４ｆｓ（ｆｓは色副搬送波周波数で、ＮＴＳＣ方式の場合には、約３．５８ＭＨｚ）で、８ビット／１サンプルのデジタル信号とされる。このデジタル複合カラー映像信号は、バンドパスフィルタ１０１に供給され、これにて搬送色信号の周波数帯域の成分が抽出される。
【００３２】
バンドパスフィルタ１０１の出力は、第１の遅延回路１０２に供給されて、１水平期間遅延される。この遅延回路１０２は、この例では、デジタル映像信号は、１水平期間当たり約９１０サンプルとなり、デジタル映像信号は８ビット／サンプルであるので、周波数４ｆｓのクロックで９１０段分順次に転送するシフトレジスタの８個分で構成することができる。
【００３３】
そして、バンドパスフィルタ１０１の出力と、第１の遅延回路１０２の出力とは、それぞれ第１の減算回路１０３および加算回路１０４に供給される。バンドパスフィルタ１０１の出力は搬送色信号帯域成分であるので、第１の減算回路１０３の出力ｙのレベルと加算回路１０４の出力ｘのレベルとは、バンドパスフィルタ１０１の出力と第１の遅延回路１０２の出力との間の垂直相関性に応じたものになる。
【００３４】
もちろん、バンドパスフィルタ１０１の出力と、第１の遅延回路１０２の出力との間に垂直相関性があるときには、第１の減算回路１０３の出力としては搬送色信号出力が良好に得られている。この第１の減算回路１０３の出力は、遅延回路１０６を通じて、出力する搬送色信号ＤＣを取り出すための切換スイッチ回路１０７の入力端Ｂ側に供給される。遅延回路１０６は、切換スイッチ回路１０７の入力端Ａ側に入力される信号とのタイミング合わせのためのもので、第１の減算回路１０３での遅延分と、後述するバンドパスフィルタ１０５での遅延分との和の遅延量を有する。
【００３５】
そして、切換スイッチ回路１０７の入力端Ａには、バンドパスフィルタ１０１の出力が、さらにバンドパスフィルタ１０５によって帯域制限された搬送色信号帯域の信号が供給される。バンドパスフィルタ１０５は、バンドパスフィルタ１０１の出力から、さらに輝度信号成分を除去するために帯域制限するもので、これは省略することもできる。
【００３６】
切換スイッチ回路１０７は、以下のようにして垂直相関性の有無に基づいて生成される切換選択信号ＳＥＬにより切り換えられる。
【００３７】
すなわち、加算回路１０４の出力ｘおよび第１の減算回路１０３の出力ｙは、それぞれ絶対値化回路１１１および１１３に供給されて、それぞれの絶対値が求められる。絶対値化回路１１１および１１３の出力は、それぞれローパスフィルタ１１２および１１４に供給され、これらから、なだらかに変化する信号｜ｘ｜および｜ｙ｜がそれぞれ得られる。
【００３８】
そして、これらローパスフィルタ１１２および１１４からの信号｜ｘ｜および｜ｙ｜は相関演算部１１５に供給される。この相関演算部１１５では、図４の表１に示す評価式による評価演算を実行し、その評価出力として２値信号、すなわち、１ビットの評価信号ｋ０を出力する。
【００３９】
この場合、バンドパスフィルタ１０１の出力と第１の遅延回路１０２の出力との間の垂直相関性が高ければ減算回路１０３の出力ｙの出力は、加算回路１０４の出力ｘに比較して大きくなる。逆に、バンドパスフィルタ１０１の出力と第１の遅延回路１０２の出力との間の垂直相関性が低ければ、加算回路１０４の出力ｘは、減算回路１０３の出力ｙに比較して大きくなる。図４の評価式における整数「Ｎ」の値は、垂直相関の有無を判別する基準を定めるためのもので、この例では、例えばＮ＝４とされる。
【００４０】
つまり、この例では、｜ｙ｜／４≧｜ｘ｜を満足する程度に、減算回路１０３の出力レベルが加算回路１０４の出力レベルに比較して大きければ、垂直相関性があると評価して、評価信号ｋ０は「１」とする。また、｜ｙ｜／４＜｜ｘ｜を満足する程度に、減算回路１０３の出力レベルが加算回路１０４の出力レベルに比較して小さければ、垂直相関性がないと評価して、評価信号ｋ０は「０」とする。
【００４１】
この相関検出部１１５の出力である評価信号ｋ０は、そのまま演算部１１７に供給される。また、相関検出部１１５からの評価信号ｋ０は、第２の遅延回路１１６を通じて１水平期間遅延した信号ｋ１として演算部１１７に供給される。この例の場合、この第２の遅延回路１１６は、１ビットの評価信号ｋ０を１水平期間だけ遅延するものでよく、周波数が４ｆｓのクロックで駆動される９１０段のシフトレジスタの１個で構成可能である。
【００４２】
この場合、評価信号ｋ０は、現在入力中の走査線と１水平期間前の走査線との間での搬送色信号の垂直相関性の有無を示すものであり、信号ｋ１は、１水平期間前の走査線と２水平期間前の走査線との間での搬送色信号の垂直相関性の有無を示すものである。すなわち、評価信号ｋ０およびｋ１により、３水平走査線間の垂直相関性が分かる。
【００４３】
演算部１１７は、これら評価信号ｋ０およびｋ１を受けて、図５の表２の真理値表に示すような演算結果を得ることができる演算を実行し、その演算結果として、前述したスイッチ回路１０７の切換選択信号ＳＥＬを生成する。図６の表３は、この切換選択信号ＳＥＬと切換スイッチ回路１０７の切換状態との関係を示すものである。すなわち、信号ＳＥＬが「１」のときには、切換スイッチ回路１０７は、バンドパスフィルタ１０５の出力を選択するように入力端Ａ側に切り換えられ、信号ＳＥＬが「０」のときには、切換スイッチ回路１０７は、第１の減算回路１０３の出力を選択するように入力端Ｂ側に切り換えられる。
【００４４】
したがって、表２の真理値表に従うと、現在入力中の走査線と１水平期間前の走査線との間での搬送色信号の垂直相関性がなく、しかも、１水平期間前の走査線と２水平期間前の走査線との間での搬送色信号の垂直相関性がある場合には、切換スイッチ回路１０７はバンドパスフィルタ１０５の出力を選択し、その他のときには、第１の減算回路１０３の出力を選択する。
【００４５】
この切換スイッチ回路１０７での適応的な切り換え動作について、図２を参照してさらに説明する。
【００４６】
図２（Ａ）は、バンドパスフィルタ１０１の出力ａにおける各水平区間での搬送色信号の位相を示している。図２では５水平区間分について示しており、搬送色信号について垂直相関性が存在しているときには、１水平期間ごとに位相が反転するが、この図２の例では、左から２番目の水平区間と３番目の水平区間との間では、搬送色信号の位相が反転しており、垂直相関性がない状態となっている。
【００４７】
このとき、第１の遅延回路１０２の出力ｂにおける各水平区間の状態は、図２（Ｂ）の状態になる。また、それよりも、さらに１水平期間（図では１Ｈと記載）遅延されている状態を図２（Ｃ）に示す。
【００４８】
加算回路１０４では出力ａと出力ｂとの加算を行うので、その出力ｘは、図２（Ｄ）に示すようになり、出力ａが１水平期間前の信号と相関がないときに、大きなレベルの信号となる。また、第１の減算回路１０３では出力ａと出力ｂとの減算を行うので、その出力ｙは、図２（Ｅ）に示すようになり、出力ａが１水平期間前の信号と相関がないときに、小さなレベルの信号となる。
【００４９】
したがって、相関検出部１１５で、前述した図４の評価式の演算を行った結果としての評価信号ｋ０，ｋ１は、図２（Ｆ）に示すようなものとなる。そして、演算部１１７での図５の真理値表に従う演算の結果の出力ＳＥＬも、図２（Ｆ）に示すものとなる。
【００５０】
この結果、出力ａが１水平期間前の信号と相関がないときに、出力ｙを切換スイッチ回路１０７から選択すると、図２のように適切な搬送色信号が得られなくなるのに対して、この実施の形態によれば、バンドパスフィルタ１０５の出力を切換スイッチ回路１０７が選択するようになるので、図２（Ｇ）に示すように、常に適切な搬送色信号出力が得られるようになる。
【００５１】
なお、図５の真理値表に示すように、この例では、現在入力中の走査線と１水平期間前の走査線との間での搬送色信号の垂直相関性がないときであっても、１水平期間前の走査線と２水平期間前の走査線との間での搬送色信号の垂直相関性もないときには、バンドパスフィルタ１０５の出力を選択せずに、第１の減算回路１０３の出力を選択する。これは、斜め解像度を劣化させないようにするためである。
【００５２】
すなわち、画面の図柄に斜め線が含まれている部分では、現在入力中の走査線と１水平期間前の走査線との間、および、１水平期間前の走査線と２水平期間前の走査線との間での搬送色信号の垂直相関性は、共にない状態になる。このときバンドパスフィルタ１０５の出力を搬送色信号出力として選択すると、輝度信号の３．５８ＭＨｚ近傍成分が当該搬送色信号出力に含まれ、クロスカラー（明暗の縞）を生じてしまう。これに対して第１の減算回路１０３の出力では輝度信号成分は除去されている。そこで、この例では、このように３水平走査線間で垂直相関がないと判断されるときには、クロスカラーを防止することができるように第１の減算回路１０３の出力を搬送色信号出力として選択するものである。
【００５３】
こうして切換スイッチ回路１０７から得られるデジタル搬送色信号ＳＣは、第２の減算回路１０９に供給される。また、Ａ／Ｄ変換器２５からのデジタル複合カラー映像信号が、第２の遅延回路１０８を通じて、この第２の減算回路１０９に供給される。第２の遅延回路１０８は、切換スイッチ回路１０７からの搬送色信号ＳＣの出力タイミングとのタイミング合わせをするためのもので、バンドパスフィルタ１０１と、第１の減算回路１０３と、遅延回路１０６の分の遅延量を有する。
【００５４】
第２の減算回路１０９では、デジタル複合カラー映像信号からデジタル搬送色信号ＳＣが減算されて、これよりデジタル輝度信号ＳＹが得られる。
【００５５】
この第２の減算回路１０９からのデジタル輝度信号ＳＹは、水平周波数特性補正回路１２０Ｙにより水平周波数特性が補正された後に、Ｄ／Ａ変換器２６Ｙに供給され、アナログ輝度信号Ｙに戻される。
【００５６】
また、切換スイッチ回路１０７からのデジタル搬送色信号ＳＣは、水平周波数特性補正回路１２０Ｃにより水平周波数特性が補正された後に、Ｄ／Ａ変換器２６Ｃに供給され、アナログ搬送色信号Ｃに戻される。
【００５７】
以上説明したようにして、この実施の形態のクシ形フィルタによれば、３水平走査線間の垂直相関性に応じて適応的に搬送色信号出力を得ることができる。そして、この実施の形態のクシ形フィルタにおいては、１水平期間の遅延回路は、８ビットの搬送色信号帯域の信号の遅延回路１０２と、１ビットの評価信号ｋ０の遅延回路１１６でよく、合計で９ビットの信号分の１水平期間の遅延回路を設けるだけでよくなる。このため、従来のように、８ビットの信号の遅延回路を２個設ける場合に比べて、回路規模を小さくすることができる。
【００５８】
また、垂直相関性の有無を検出する回路部分は、遅延回路１０２の入出力についてのみ設けるだけでよく、従来のように、現在入力中の走査線と１水平期間前の走査線との間での搬送色信号の垂直相関性についての相関検出部と、１水平期間前の走査線と２水平期間前の走査線との間での搬送色信号の垂直相関性について相関検出部とを設ける場合に比べて、構成を簡単にできると共に、回路規模の縮小になる。
【００５９】
以上は、この発明によるクシ形フィルタをテレビジョン受像機に適用した場合について説明したが、この発明は、その他の映像機器にも適用できる。図７は、この発明によるクシ形フィルタが適用されたＶＴＲの構成を示すものである。
【００６０】
すなわち、映像入力端子３１を通じて入力された複合カラー映像信号は、Ａ／Ｄ変換器３２にてデジタル複合カラー映像信号に変換された後、前述した図１の構成のクシ形フィルタ１００により構成される適応型クシ形フィルタ３３に供給されて、前述のようにしてデジタル輝度信号ＤＹおよびデジタル搬送色信号ＤＣが分離され出力される。
【００６１】
この適応型クシ形フィルタ３３よりのデジタル輝度信号ＤＹおよびデジタル搬送色信号ＤＣは、それぞれＤ／Ａ変換器３４Ｙおよび３４Ｃによりアナログ輝度信号およびアナログ搬送色信号Ｃに戻される。そして、これら輝度信号および搬送色信号は記録処理回路３５に供給され、輝度信号はＦＭ変調され、搬送色信号は、このＦＭ変調された輝度信号の低域側に周波数多重される。そして、この周波数多重信号が回転ヘッド３６に供給されて、磁気テープに記録される。
【００６２】
なお、上述の実施の形態においては、クシ形フィルタは、デジタル回路であって、Ａ／Ｄ変換器およびＤ／Ａ変換器を外付けのものとしたが、Ａ／Ｄ変換器およびＤ／Ａ変換器をも備える構成とすることも勿論できる。
【００６３】
また、クシ形フィルタは、デジタル回路の構成ではなく、アナログ回路の構成とすることもできることは言うまでもない。
【００６４】
【発明の効果】
以上説明したように、この発明によれば、３水平走査線間の垂直相関性に応じて適応的に搬送色信号出力を得るクシ形フィルタを、小さい回路規模で、かつ、構成な回路構成により実現することができる。
【図面の簡単な説明】
【図１】この発明によるクシ形フィルタの一実施の形態の回路図である。
【図２】図１の実施の形態を説明するためのタイムチャートを示す図である。
【図３】この発明によるクシ形フィルタを用いるカラーテレビジョン受像機の一例の構成を示すブロック図である。
【図４】図１の実施の形態の説明に用いる図である。
【図５】図１の実施の形態の説明に用いる図である。
【図６】図１の実施の形態の説明に用いる図である。
【図７】この発明によるクシ形フィルタを用いるＶＴＲの一例の構成を示すブロック図である。
【図８】クシ形フィルタの基本構成を説明する図である。
【符号の説明】
２５…Ａ／Ｄ変換器、２６Ｙ，２６Ｃ…Ｄ／Ａ変換器、１０１，１０５…搬送色信号帯域を抽出するバンドパスフィルタ、１０２…映像信号の１水平期間の遅延回路、１０３…第１の減算回路、１０４…加算回路、１０７…切換スイッチ回路、１０９…第２の減算回路、１１５…相関検出部、１１６…２値信号の１水平期間の遅延回路、１１７…演算部
【図１】
0003980692.tif 000002
【図２】
0003980692.tif 000003
【図３】
0003980692.tif 000004
【図４】
0003980692.tif 000005
【図５】
0003980692.tif 000006
【図６】
0003980692.tif 000007
【図７】
0003980692.tif 000008
【図８】
0003980692.tif 000009